【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
モバイルデバイスにおいて、前記モバイルデバイスによる領域決定を制御する方法であって、
前記モバイルデバイスの現在の位置が、構造の垂直遷移から、しきい値距離未満だけ変位されたと決定することと、
前記モバイルデバイスで現在の気圧を決定することと、
前記現在の気圧と基準気圧とに基づいて、前記モバイルデバイスが構造内の第１の領域から第２の領域に移動したと決定することと、前記第１の領域と前記第２の領域は前記構造の異なる領域であり、相互から垂直方向に変位されている、
第１の頻度で反復する受動計測を実行することと、
前記モバイルデバイスが前記第１の領域から前記第２の領域に移動したと決定することに応答して、前記モバイルデバイスが存在する前記構造の領域を決定することと、
前記モバイルデバイスの前記現在の位置が、前記構造の前記垂直遷移から前記しきい値距離を上回るほど変位されたと決定することと、
前記モバイルデバイスによって、第２の頻度で前記反復する受動計測を実行することと、前記反復する受動計測が、前記第２の頻度で、前記第１の頻度よりも少ない頻度で実行され、
を備える、方法。
【請求項２】
前記モバイルデバイスが、前記構造内の前記第１の領域から前記第２の領域に移動したと決定することが、
前記現在の気圧と前記基準気圧とに基づいて現在の高度を決定することと、
前記現在の高度と、前記モバイルデバイスが直前に存在したと決定された前記構造の領域である基準領域に関連付けられる基準高度との間の比較を行うこととを備え、
ここにおいて、前記領域決定は、前記モバイルデバイスが前記基準領域の外部にあることを示す前記比較に応答して実行される、請求項１に記載の方法。
【請求項３】
前記領域決定は、前記現在の高度が、領域変更を示す大きさを上回るほど前記基準高度とは異なっていることに応答して実行される、請求項２に記載の方法。
【請求項４】
前記モバイルデバイスが、前記構造内の前記第１の領域から前記第２の領域に移動したと前記決定することは、
前記現在の気圧と前記基準気圧とに基づいて現在の高度を決定することと、
前記現在の高度と、前記構造の固定領域である基準領域に関連付けられる基準高度との間の比較を行うこととを備え、
ここにおいて、前記領域決定は、前記モバイルデバイスが、前記モバイルデバイスが直前に存在したと決定された前記構造の領域の外部にあることを示す前記比較に応答して実行される、請求項１に記載の方法。
【請求項５】
前記領域決定は、第１の差が、第２の差とは領域変更を示す大きさを上回るほど異なっていることに応答して実行され、前記第１の差は前記現在の高度と前記基準高度との間のものであり、前記第２の差は（１）前記モバイルデバイスが直前に存在したと決定された前記構造の前記領域に関連付けられる前記モバイルデバイスで以前に決定された高度と、（２）前記基準高度との間のものである、請求項４に記載の方法。
【請求項６】
前記モバイルデバイスの位置を決定することと、
前記モバイルデバイスの前記位置が信頼性の低い気圧計測のエリア内にあることに応答して、（１）前記現在の気圧を無視すること、または（２）前記現在の気圧から決定された現在の高度を無視することのいずれかをさらに備える、請求項１に記載の方法。
【請求項７】
前記モバイルデバイスが前記構造の領域間をすぐに移動する可能性は低いと決定することに応答して、前記モバイルデバイスによる受動計測の頻度を減少させることをさらに備える、請求項１に記載の方法。
【請求項８】
前記モバイルデバイスが前記構造の領域間をすぐに移動する可能性は低いと決定することは、前記モバイルデバイスの現在の位置が、前記構造の垂直遷移からしきい値距離を上回るほど変位されたと決定することを備える、請求項７に記載の方法。
【請求項９】
前記モバイルデバイスが前記第１の領域内に存在することから前記第２の領域内にあることに移動したことに応答して、受動計測を実行することをさらに備える、請求項１に記載の方法。
【請求項１０】
前記モバイルデバイスは、受動計測を、第１の速度が第２の速度よりも速い、前記第１の速度または前記第２の速度で実行するように構成されており、前記方法は、前記モバイルデバイスが前記構造の垂直遷移のしきい値距離内にあること、または、前記モバイルデバイスが、前記第１の領域内に存在することから、前記第２の領域内に存在することに移動したことのうちの少なくとも１つを決定することに応答して、前記モバイルデバイスによる受動計測の速度を前記第１の速度に設定することをさらに備える、請求項１に記載の方法。
【請求項１１】
モバイルデバイスであって、
前記モバイルデバイスで現在の気圧を計測するように構成された気圧センサと、
前記モバイルデバイスの現在の位置が、構造の垂直遷移から、しきい値距離未満だけ変位されたと決定するための、
前記現在の気圧と基準気圧とに基づいて、前記モバイルデバイスが、第１の領域と第２の領域が構造の異なる領域であり、相互から垂直方向に変位されている、前記構造内の前記第１の領域から前記第２の領域に移動したと決定して、
第１の頻度で反復する受動計測を実行するための、
前記モバイルデバイスが前記第１の領域から前記第２の領域に移動したと決定することに応答して、前記モバイルデバイスが存在する前記構造の領域を決定して、
前記モバイルデバイスの前記現在の位置が、前記構造の前記垂直遷移から前記しきい値距離を上回るほど変位されたと決定するための、
第２の頻度で、前記反復する受動計測を実行するための、領域を決定するための手段とを備え、
前記反復する受動計測が、前記第２の頻度で、前記第１の頻度よりも少ない頻度で実行されている、モバイルデバイス。
【請求項１２】
前記モバイルデバイスが、前記第１の領域から前記第２の領域に移動したと決定するために、領域を決定するための前記手段は、
前記現在の気圧と前記基準気圧とに基づいて現在の高度を決定するための手段と、
前記現在の高度と、前記モバイルデバイスが直前に存在したと決定された前記構造の領域である基準領域に関連付けられる基準高度との間の比較を行うための手段とを含み、
ここにおいて、領域を決定するための前記手段は、前記比較が、前記モバイルデバイスは前記基準領域の外部にあることを示していることに応答して、前記領域決定を実行するように構成され、領域を決定するための前記手段は、前記現在の高度が、領域変更を示す大きさを上回るほど前記基準高度とは異なっていることに応答して、前記領域決定を実行するように構成されている、請求項１１に記載のモバイルデバイス。
【請求項１３】
前記モバイルデバイスは、前記第１の領域から前記第２の領域に移動したと決定するために、領域を決定するための前記手段が、
前記現在の気圧と前記基準気圧とに基づいて現在の高度を決定するための手段と、
前記現在の高度と、前記構造の固定領域である基準領域に関連付けられる基準高度との間の比較を行うための手段とを含み、
ここにおいて、領域を決定するための前記手段は、前記比較が前記モバイルデバイスが前記モバイルデバイスが直前に存在したと決定された前記構造の領域の外部にあることを示していることに応答して、前記領域決定を実行するように構成され、領域を決定するための前記手段は、第１の差が、第２の差とは領域変更を示す大きさを上回るほど異なっていることに応答して前記領域決定を実行するように構成されており、前記第１の差は前記現在の高度と前記基準高度との間のものであり、前記第２の差は（１）前記モバイルデバイスが直前に存在したと決定された前記構造の前記領域に関連付けられる前記モバイルデバイスで以前に決定された高度と、（２）前記基準高度との間のものである、請求項１１に記載のモバイルデバイス。
【請求項１４】
前記モバイルデバイスの位置を決定するための位置を決定するための手段をさらに備え、
領域を決定するための前記手段は、前記モバイルデバイスの前記位置が信頼性の低い気圧計測のエリア内にあることに応答して、（１）前記現在の気圧を無視する、または（２）前記現在の気圧から決定された現在の高度を無視する、のいずれかを行うように構成される、請求項１１に記載のモバイルデバイス。
【請求項１５】
モバイルデバイスのプロセッサ可読記憶媒体であって、前記記憶媒体は、プロセッサに、請求項１乃至１０のうちのいずれか１項に記載の方法を実行させるように構成されたプロセッサ可読命令を備える、プロセッサ可読記憶媒体。